(57)【要約】【課題】点火プラグにカーボンが堆積すると中心電極と側方電極間に燻ぶりによる漏洩電流が発生し、漏洩電流とプレイグニッションの発生による燃焼波形とを正確に区別して燃焼状態を判定することは困難である。【解決手段】少なくともイグナイタ60から１次コイル10への通電中の区間内で設定される燃焼状態判定区間内における一定の時間の間隔で抽出する複数のイオン波形出力値からの移動平均値を算出し、移動平均値が第１の閾値を超え、且つ、第１の閾値を超えた時点から前回算出した移動平均値を第２の閾値としてイオン波形出力値が第２の閾値を所望の時間を超えると内燃機関のプレイグニッションの発生と判定する。【選択図】図９
2014118817.tif 000002
【特許請求の範囲】
【請求項１】
１次コイルと２次コイルが電磁結合されて点火プラグに高電圧を印加するコイル部と、当該１次コイルへの通電のＯＮ・ＯＦＦを切り替えるイグナイタと、当該イグナイタに点火信号を供給するＥＣＵと、コンデンサをバイアス電源として前記点火プラグに発生するイオン電流を検出するイオン電流検出回路と、を備え、
前記ＥＣＵは、前記イオン電流検出回路が検出したイオン電流から内燃機関の燃焼状態を判定する内燃機関の燃焼状態判定装置において、
前記ＥＣＵは、燃焼状態判定区間内における一定時間の間隔で抽出する複数のイオン波形出力値からの移動平均値を算出し、当該移動平均値が第１の閾値を超え、且つ、当該イオン波形値が第２の閾値を所望の時間を超えると前記内燃機関のプレイグニッションの発生と判定することを特徴とする内燃機関の燃焼状態判定装置。
【請求項２】
前記第２の閾値は、前記第１の閾値を超えた時点から前回算出した前記移動平均値を設定することを特徴とする請求項１に記載の内燃機関用の燃焼状態判定装置。
【請求項３】
前記燃焼状態判定区間は、少なくとも前記イグナイタから前記１次コイルへの通電中の区間内で設定されることを特徴とする請求項１又は２に記載の内燃機関の燃焼状態判定装置。
【請求項４】
前記燃焼状態判定区間は、前記内燃機関のクランクが下死点の位置から１８０度の範囲以内で設定されることを特徴とする請求項１又は２に記載の内燃機関の燃焼状態判定装置。
【発明の詳細な説明】
【技術分野】
【０００１】
本発明は、自動車等の内燃機関用の点火装置に関し、特に、内燃機関の燃焼により発生するイオン電流を用いた燃焼状態判定装置に関するものである。
【背景技術】
【０００２】
従来より、１次コイルと２次コイルが電磁結合されてなる内燃機関用の点火装置において、内燃機関のシリンダ内に供給した空気及び燃料の混合気を、点火プラグの放電により燃焼させ、燃焼時のシリンダ内のイオン化した分子を点火プラグに高電圧を印加することでイオン電流を検出するイオン電流検出回路を備えたものがあり、検出したイオン電流から内燃機関の燃焼状態を判定している。
【０００３】
ところが、点火プラグの電極周辺では、内燃機関の空燃比が低いと不完全燃焼によってカーボンが発生する。カーボンがプラグの電極に堆積すると中心電極と側方電極間の絶縁抵抗を低下させミスファイヤーにつながる。また、冬季は外気温が低いので、ガソリンが細かい霧状にならず、空気と上手く混ざらないため不完全燃焼が発生し易くなる。即ち、燻ぶりという現象を起こしてしまう。このため、燻ぶりによって流れる中心電極と側方電極間に漏洩電流が、実際のイオン電流に合成されたイオン電流に基づいた燃焼状態の判定が行われるため、誤判定を招く恐れが生じる。
【０００４】
このような問題点を解決する内燃機関の燃焼状態判定装置としては、例えば、特開２００９−１０８７６０号公報（以下「特許文献１」）が知られている。当該特許文献１では、内燃機関の燃焼室内に設置される電極と、前記燃焼室内で混合気が燃焼する際に生じるイオン電流を検出するために前記電極に電圧を印加する電圧印加手段と、前記電圧の印加時に前記電極間に発生するイオン電流を検出するイオン電流検出手段と、前記検出されたイオン電流からプレイグニッションまたはその前兆現象を検出するための検出区間を設定する検出区間設定手段を含み、前記検出区間における前記イオン電流の変化に対応したイオン電流データを抽出するデータ抽出手段と、前記抽出されたイオン電流データに基づき、前記検出区間内におけるイオン電流の変化形状が上に凸である領域を検出する凸検出手段と、前記上に凸である領域と比較するための比較値を設定する比較設定手段を含み、前記上に凸である領域が前記比較値より早いタイミングである場合にプレイグニッションまたはその前兆現象が発生していると判定するプレイグニッション判定手段とを備え、前記凸検出手段は、前記電極間に発生するリーク電流の発生有無を判断するリーク電流判断手段を含み、前記リーク電流が発生していると判断された場合に、前記上に凸である領域の検出を有効とする内燃機関の燃焼状態判定装置が記載されている。
【０００５】
また、別の例として、特開２００９−１５０３０６号公報（以下「特許文献２」）が知られている。当該特許文献２では、内燃機関の燃焼室に設置され点火電圧が印加されることにより前記燃焼室内で飛火放電を発生して混合気燃料に点火しこれを燃焼させる電極を備えた点火プラグと、点火信号の発生に基づいて前記点火電圧を誘起する点火コイルとを備えた内燃機関に於ける燃焼状態を検出する装置であって、前記燃焼により生ずるイオンによるイオン電流を発生させる電圧を前記点火プラグの電極に印加する電圧印加装置と、前記電圧印加手段により印可された電圧により前記電極を介して流れる電流を検出する電流検出装置と、前記電流検出装置により検出された電流のうち前記内燃機関の動作行程の所定期間に設定した第１の検出区間に流れる前記電流に基づいて比較しきい値を設定する比較しきい値設定装置と、前記電極を介して流れる電流のうち前記内燃機関の動作行程の前記点火信号が発生している期間を含む所定期間に設定した第２の検出区間に流れる電流と前記設定した比較しきい値との比較に基づいて前記内燃機関のプレイグニッションの発生の有無を判定するプレイグニッション発生判断装置とを備えたことを特徴とする内燃機関の燃焼状態判定装置が記載されている。
【先行技術文献】
【特許文献】
【０００６】
【特許文献１】特開２００９−１０８７６０号公報
【特許文献２】特開２００９−１５０３０６号公報
【発明の概要】
【発明が解決しようとする課題】
【０００７】
しかしながら、上記従来のイオン電流検出装置では次のような問題が発生している。即ち、特許文献１では、凸検出手段によって上に凸である領域が比較値より早いタイミングである場合にプレイグニッションまたはその前兆現象が発生していると判定しているが、上に凸である領域と燻ぶりによるリーク電流の大きさが近似している場合、ノイズによる上に凸であるのかプレイグニッションによる上に凸であるのかを精度良く検出することが困難である。
【０００８】
また、特許文献２では、第１の検出区間に流れる前記電流に基づいて設定される比較しきい値と第２の検出区間に流れる電流との比較に基づいて前記内燃機関のプレイグニッションの発生の有無を判定しているが、第２の検出区間を流れる電流にノイズが重畳するとノイズをプレイグニッションと誤判定してしまう問題が生じる。
【０００９】
本発明は上記課題に鑑みなされたもので、点火プラグに堆積するカーボンによって、中心電極と側方電極間を流れる漏洩電流が発生しても、イオン電流から正確にプレイグニッションの発生を判定することができる内燃機関の燃焼状態判定装置を提供することを目標とする。
【課題を解決するための手段】
【００１０】
上記課題を解決するために本発明は次のような構成とする。即ち、請求項１の発明においては、１次コイルと２次コイルが電磁結合されて点火プラグに高電圧を印加するコイル部と、当該１次コイルへの通電のＯＮ・ＯＦＦを切り替えるイグナイタと、当該イグナイタに点火信号を供給するＥＣＵと、コンデンサをバイアス電源として前記点火プラグに発生するイオン電流を検出するイオン電流検出回路と、を備え、前記ＥＣＵは、前記イオン電流検出回路が検出したイオン電流から内燃機関の燃焼状態を判定する内燃機関の燃焼状態判定装置において、前記ＥＣＵは、燃焼状態判定区間内における一定時間の間隔で抽出する複数のイオン波形出力値からの移動平均値を算出し、当該移動平均値が第１の閾値を超え、且つ、当該イオン波形値が第２の閾値を所望の時間を超えると前記内燃機関のプレイグニッションの発生と判定することを特徴とする内燃機関の燃焼状態判定装置とする。
【００１１】
上記構成においては、前記第２の閾値は、前記第１の閾値を超えた時点から前回算出した前記移動平均値を設定してもよい。また、前記燃焼状態判定区間は、少なくとも前記イグナイタから前記１次コイルへの通電中の区間内で設定してもよい。さらに、前記燃焼状態判定区間は、前記内燃機関のクランクが下死点の位置から１８０度の範囲以内で設定してもよい。
【発明の効果】
【００１２】
上記の通り、１次コイルと２次コイルが電磁結合されて点火プラグに高電圧を印加するコイル部と、１次コイルへの通電のＯＮ・ＯＦＦを切り替えるイグナイタと、イグナイタに点火信号を供給するＥＣＵと、コンデンサをバイアス電源として点火プラグに発生するイオン電流を検出するイオン電流検出回路と、を備え、ＥＣＵは、イオン電流検出回路が検出したイオン電流から内燃機関の燃焼状態を判定する内燃機関の燃焼状態判定装置において、ＥＣＵは、少なくともイグナイタから１次コイルへの通電中の区間内で設定される燃焼状態判定区間内における一定時間の間隔で抽出する複数のイオン波形出力値からの移動平均値を算出し、移動平均値が第１の閾値を超え、且つ、第１の閾値を超えた時点から前回算出した移動平均値を第２の閾値としてイオン波形値が第２の閾値を所望の時間を超えると内燃機関のプレイグニッションの発生と判定することで、点火プラグに堆積するカーボンによって、中心電極と側方電極間を流れる漏洩電流が発生しても、イオン電流から正確にプレイグニッションの発生を判定する内燃機関の燃焼状態判定装置が実現できる。
【図面の簡単な説明】
【００１３】
【図１】本発明の第１の実施例とするイオン電流検出装置の回路図を示す図である。
【図２】イオン電流検出装置の１次コイルへの充電時の動作を示す図である。
【図３】イオン電流検出装置の２次コイルからの放電時の動作を示す図である。
【図４】イオン電流検出装置のイオン電流検出時の動作を示す図である。
【図５】内燃機関の動作を現す点火信号、２次電圧、及び、イオン電流を示すタイムチャートである。
【図６】（ａ）は燻ぶり有・プレイグ有のイオン電流波形を示し、（ｂ）は燻ぶり有・プレイグ有のイオン電流の移動平均を示すタイムチャートである。
【図７】（ａ）は燻ぶり有・プレイグ無のイオン電流波形を示し、（ｂ）は燻ぶり有・プレイグ無のイオン電流の移動平均を示すタイムチャートである。
【図８】（ａ）は燻ぶり無・プレイグ有のイオン電流波形を示し、（ｂ）は燻ぶり無・プレイグ有のイオン電流の移動平均を示すタイムチャートである。
【図９】内燃機関の燃焼状態判定装置の制御を示すフローチャートである。
【発明を実施するための形態】
【００１４】
以下に、本発明の実施の形態を示す実施例を図１乃至図９に基づいて説明する。
【実施例１】
【００１５】
本発明の第１の実施例とするイオン電流検出装置の回路図を示す図を図１に、イオン電流検出装置の１次コイルへの充電時の動作を示す図を図２に、イオン電流検出装置の２次コイルからの放電時の動作を示す図を図３に、イオン電流検出装置のイオン電流検出時の動作を示す図を図４に、内燃機関の動作を現す点火信号、２次電圧、及び、イオン電流を示すタイムチャートを図５に、（ａ）は燻ぶり有・プレイグ有のイオン電流波形を示し、（ｂ）は燻ぶり有・プレイグ有のイオン電流の移動平均を示すタイムチャートを図６に、（ａ）は燻ぶり有・プレイグ無のイオン電流波形を示し、（ｂ）は燻ぶり有・プレイグ無のイオン電流の移動平均を示すタイムチャートを図７に、（ａ）は燻ぶり無・プレイグ有のイオン電流波形を示し、（ｂ）は燻ぶり無・プレイグ有のイオン電流の移動平均を示すタイムチャートを図８に、内燃機関の燃焼状態判定装置の制御を示すフローチャートを図９に、それぞれ示す。
【００１６】
図１において、内燃機関用のイオン電流検出装置100は、コイル部、イグナイタ60、及び、イオン電流検出回路90から構成されている。当該コイル部は１次巻線を巻き回した１次コイル10と、２次巻線を巻き回した２次コイル20と、珪素鋼板からなる鉄芯30と、を電磁結合して構成されている。また、当該イグナイタ60はＩＧＢＴ（絶縁ゲートバイポーラトランジスタ）から構成されている。さらに、当該イオン電流検出回路90は、ツェナーダイオード92a、第１のダイオード92b、第２のダイオード92c、コンデンサ94、オペアンプ96、第１の抵抗98a、及び、第２の抵抗98bと、から構成されている。
【００１７】
また、前記２次コイル20の高圧側は、内燃機関のシリンダ内に放電を行うと共に、内燃機関の燃焼によって電極間に発生するイオン電流を検出する点火プラグ50の中心電極と接続し、当該点火プラグ50の側方電極は、車体側に配備されるグランドに接続されている。さらに、当該点火プラグ50は、当該内燃機関の不完全燃焼によりカーボンが当該中心電極と側方電極間に堆積することで発生する燻ぶり抵抗ＲＬが並列に接続されているものと見なしている。
【００１８】
また、前記２次コイル20の低圧側は、前記イオン電流検出回路90と接続され、前記ツェナーダイオード92aのカソード端子と接続されている。さらに、前記ツェナーダイオード92aのアノード端子は、前記第１のダイオード92bのアノード端子と接続され、前記第１のダイオード92bのカソード端子はグランドと接続されている。
【００１９】
また、前記コンデンサ94は、前記ツェナーダイオード92aと並列に接続される。さらに、前記コンデンサ94のプラス端子は、前記ツェナーダイオード92bのカソード端子と接続され、マイナス端子は、前記ツェナーダイオード92aのアノード端子と接続される。
【００２０】
また、前記第１の抵抗98aは、前記コンデンサ94のマイナス端子と接続され、前記第１の抵抗98aの前記コンデンサ94と接続される反対側は、前記オペアンプ96の反転入力端子と接続されている。さらに、前記オペアンプ96の反転入力端子と前記第１の抵抗98aとの接続部は、前記第２のダイオード92cのカソード端子と接続され、前記第２のダイオード92cのアノード端子は、グランドと接続されている。
【００２１】
また、検出抵抗と呼ばれる前記第２の抵抗98bは、前記オペアンプ96の反転入力端子と出力端子と並列に接続される。さらに、前記オペアンプ96の正電源端子は、電源と接続されることで電力の供給を受け、前記オペアンプ96の非反転入力端子及び負電源端子は、グランドと接続される。
【００２２】
また、前記ツェナーダイオード92aは、ブレークダウン電圧が２７０Ｖのツェナーダイオードとなっており、前記ツェナーダイオード92aのブレークダウン電圧の値によって前記コンデンサ94に充電される電圧が２７０Ｖに制限されている。
【００２３】
また、前記１次コイルの高圧側は、前記イグナイタ60のコレクタ端子と接続され、前記イグナイタ60のエミッタ端子は、グランドと接続されている。さらに、前記イグナイタ60のゲート端子は、自動車のエンジンＥＣＵ80と接続され、当該エンジンＥＣＵ80は、前記イグナイタ60のゲート端子へ点火信号を供給している。
【００２４】
次に、図２から、イオン電流検出装置の１次コイルへの充電時の動作説明をする。
【００２５】
図２において、前記エンジンＥＣＵ80から前記イグナイタ60のゲート端子に対して点火信号ＳＧが入力されると、前記イグナイタ60のゲート・コレクタ間に矢印に示すようにゲート電流が流れる。すると、前記イグナイタ60のコレクタ・エミッタ間が通電される。その結果、図２の矢印に示すように、前記電源40→前記１次コイル10→前記イグナイタ60の経路で１次電流Ｉ１が流れる。
【００２６】
次に、図３からイオン電流検出装置の２次コイルからの放電時の動作説明をする。
【００２７】
図３において、前記ＥＣＵ80から前記イグナイタ60のゲート端子に対する点火信号ＳＧが遮断されると、前記１次コイル10に流れていた１次電流Ｉ１が電磁誘導によって前記２次コイル20に逆起電力を発生させる。その結果、図３の矢印に示すように、前記点火プラグ50→前記２次コイル20→前記ツェナーダイオード92a→前記第１のダイオード92bの経路で２次電流Ｉ２が流れる。また、前記コンデンサ94は、前記ツェナーダイオード92aのブレークダウン電圧と対応して充電される。
【００２８】
次に、図４からイオン電流検出装置のイオン電流検出時の動作説明をする。
【００２９】
図４において、前記点火プラグ50からの放電が収束していくと、上記図３の２次コイルからの放電時に充電された前記コンデンサ94の両端電圧をバイアス電源として、図４の矢印に示すように、前記第２の抵抗98b→前記第１の抵抗98a→前記コンデンサ94→前記２次コイル20→前記点火プラグ50の経路でイオン電流Ｉｉｏｎが流れる。その結果、前記オペアンプ96からイオン電流Ｉｉｏｎに対応する検出信号が出力される。また、前記エンジンＥＣＵ80は、前記オペアンプ96から出力された検出信号を基に、前記内燃機関の燃焼状態の判定を行っている。
【００３０】
図５において、前記内燃機関の動作を現す点火信号、２次電圧、及び、イオン電流を示すタイムチャートが示されている。前記内燃機関は、吸気工程→圧縮工程→燃焼行程→排気工程の４つの燃焼サイクルからなる４サイクルエンジンである。また、図５（ａ）より、前記ＥＣＵ80から前記イグナイタ60へ供給される点火信号ＳＧであり、圧縮工程毎に前記ＥＣＵ80からパルス波が出力される。さらに、図５（ｂ）より、点火信号ＳＧの立下りに対応して前記２次コイル20から３０ｋＶ前後の高電圧が発生する。
【００３１】
また、図５（ｃ）より、イオン電流Ｉｉｏｎは、前記点火プラグ50の放電動作が収束すると形成される。さらに、イオン電流Ｉｉｏｎは前記内燃機関の燃焼後、ピーク位置に向かって上昇し、ピーク位置から徐々に下降し収束していく波形を描く。前記ECU80は、図５（ａ）に示す点火信号ＳＧが通電中の区間を燃焼状態判定区間として、図５（ｃ）に示すイオン電流Ｉｉｏｎから前記内燃機関に発生するプレイグニッションの有無を判定している。
【００３２】
また、図６（ａ）では、燻ぶり有・プレイグニッション有の時の前記イグナイタ60から前記１次コイル10への通電時に生じるイオン電流Ｉｉｏｎの波形を示す。さらに、図６（ａ）で示したイオン電流Ｉｉｏｎの波形は前記中心電極と前記側方電極間に生じる燻ぶりによる漏洩電流が流れ、前記イグナイタ60から前記１次コイル10への通電の立下り付近に向かうにしたがって収束し、前記点火プラグ50からの放電までに前記内燃機関の残留熱による温度上昇から自然発火を引き起こすプレイグニッションの燃焼波形が流れることで波形が急峻に立上る。
【００３３】
また、図６（ｂ）では、燻ぶり有・プレイグニッション有の時の前記イグナイタ60から前記１次コイル10への通電時に生じるイオン電流Ｉｉｏｎの移動平均のタイムチャートを示す。さらに、図６（ｂ）で示したイオン電流Ｉｉｏｎの移動平均値は２０マイクロｓｅｃ毎に抽出されるイオン電流値３点分を用いて算出されている。
【００３４】
また、図７（ａ）では、燻ぶり有・プレイグニッション無の時の前記イグナイタ60から前記１次コイル10への通電時に生じるイオン電流Ｉｉｏｎの波形を示す。さらに、図７（ａ）で示したイオン電流Ｉｉｏｎの波形は前記中心電極と前記側方電極間に生じる燻ぶりによる漏洩電流が流れ、前記イグナイタ60から前記１次コイル10への通電の立下り付近に向かうにしたがって収束していく。
【００３５】
また、図７（ｂ）では、燻ぶり有・プレイグニッション無の時の前記イグナイタ60から前記１次コイル10への通電時に生じるイオン電流Ｉｉｏｎの移動平均のタイムチャートを示す。さらに、図７（ｂ）で示したイオン電流Ｉｉｏｎの移動平均値は２０マイクロｓｅｃ毎に抽出されるイオン電流値３点分を用いて算出されている。
【００３６】
また、図８（ａ）では、燻ぶり無・プレイグニッション有の時の前記イグナイタ60から前記１次コイル10への通電時に生じるイオン電流Ｉｉｏｎの波形を示す。さらに、図８（ａ）で示したイオン電流Ｉｉｏｎの波形は前記点火プラグ50からの放電までに前記内燃機関の残留熱による温度上昇から自然発火を引き起こすプレイグニッションの燃焼波形が流れることで波形が急峻に立上る。
【００３７】
また、図８（ｂ）では、燻ぶり無・プレイグニッション有の時の前記イグナイタ60から前記１次コイル10への通電時に生じるイオン電流Ｉｉｏｎの移動平均のタイムチャートを示す。さらに、図８（ｂ）で示したイオン電流Ｉｉｏｎの移動平均値は２０マイクロｓｅｃ毎に抽出されるイオン電流Ｉｉｏｎ３点分を用いて算出されている。
【００３８】
次に、内燃機関の燃焼状態判定装置の動作を図９に基づいて説明する。
【００３９】
図９において、前記イオン電流検出回路90は、前記イグナイタ60から前記１次コイル10への通電時に前記点火プラグ50の電極間に発生するイオン電流Ｉｉｏｎを検出し、前記ＥＣＵ80は、前記イオン電流検出回路90からイオン電流Ｉｉｏｎに対応する検出信号が入力されている（Ｓ１）。また、前記ＥＣＵ80は、Ｓ１で検出したイオン電流Ｉｉｏｎから２０マイクロｓｅｃ毎に抽出されるイオン電流値３点を用いて移動平均値を算出する（Ｓ２）。さらに、前記ＥＣＵ80は、Ｓ２で算出した移動平均値＞第１の閾値となるかの判定を行い（Ｓ３）、Ｓ３で移動平均値＞第１の閾値となる場合、前記ＥＣＵ80は、Ｓ３の条件を満たす１つ前に算出した移動平均値を第２の閾値として決定する（Ｓ４）。
【００４０】
また、前記ＥＣＵ80は、Ｓ３を満たした時点からのイオン電流値＞第２の閾値となるかの判定を行い（Ｓ５）、Ｓ５でイオン電流値＞第２の閾値となる場合、前記ECU80は、イオン電流値＞第２の閾値を連続８回満たすかの判定を行う（Ｓ６）。さらに、Ｓ６でイオン電流値＞第２の閾値を連続８回満たす場合、前記ＥＣＵ80は、前記内燃機関にプレイグニッションが発生していると判定する（Ｓ７）。
【００４１】
前記図６を前記図９のフローチャートに基づいて説明すると、前記イオン電流検出回路90は、前記イグナイタ60から前記１次コイル10への通電時に前記点火プラグ50の電極間に発生するイオン電流Ｉｉｏｎを検出し、前記ＥＣＵ80は、前記イオン電流検出回路90からイオン電流Ｉｉｏｎに対応する検出信号が入力されている（Ｓ１）。また、前記ＥＣＵ80は、Ｓ１で検出したイオン電流Ｉｉｏｎから２０マイクロｓｅｃ毎に抽出されるイオン電流値３点を用いて移動平均値を算出する（Ｓ２）。さらに、前記ＥＣＵ80は、Ｓ２で算出した移動平均値＞第１の閾値となるかの判定を行うと、漏洩電流が発生する期間では第１の閾値を超すことはなく、プレイグニッションが発生する期間で第１の閾値を超す（Ｓ３）。
【００４２】
また、前記ＥＣＵ80は、移動平均値＞第１の閾値を満たした時点の１つ前に算出した移動平均値を第２の閾値と設定する（Ｓ４）。さらに、前記ＥＣＵ80は、第１の閾値を満たした時点からのイオン電流値＞第２の閾値となるかの判定を行うと、プレイグニッションが発生する期間で第２の閾値を超す（Ｓ５）。
【００４３】
また、前記ＥＣＵ80は、Ｓ５でイオン電流値＞第２の閾値を連続８回満たすかの判定を行うと、プレイグニッションが発生する期間でイオン電流値＞第２の閾値を連続８回満たす（Ｓ６）。さらに、Ｓ６でイオン電流値＞第２の閾値を連続８回満たしているので、前記ＥＣＵ80は、前記内燃機関にプレイグニッションが発生していると判定する（Ｓ７）。
【００４４】
前記図７を前記図９のフローチャートに基づいて説明すると、前記イオン電流検出回路90は、前記イグナイタ60から前記１次コイル10への通電時に前記点火プラグ50の電極間に発生するイオン電流Ｉｉｏｎを検出し、前記ＥＣＵ80は、前記イオン電流検出回路90からイオン電流Ｉｉｏｎに対応する検出信号が入力されている（Ｓ１）。また、前記ＥＣＵ80は、Ｓ１で検出したイオン電流Ｉｉｏｎから２０マイクロｓｅｃ毎に抽出されるイオン電流値３点を用いて移動平均値を算出する（Ｓ２）。さらに、前記ＥＣＵ80は、Ｓ２で算出した移動平均値＞第１の閾値となるかの判定を行うと、漏洩電流が発生する期間において第１の閾値を超すことはないため、前記内燃機関にプレイグニッションが発生していないと判定する（S３）。
【００４５】
前記図８を前記図９のフローチャートに基づいて説明すると、前記イオン電流検出回路90は、前記イグナイタ60から前記１次コイル10への通電時に前記点火プラグ50の電極間に発生するイオン電流Ｉｉｏｎを検出し、前記ECU80は、前記イオン電流検出回路90からイオン電流Ｉｉｏｎに対応する検出信号が入力されている（S１）。また、前記ＥＣＵ80は、Ｓ１で検出したイオン電流Ｉｉｏｎから２０マイクロｓｅｃ毎に抽出されるイオン電流値３点を用いて移動平均値を算出する（Ｓ２）。さらに、前記ＥＣＵ80は、Ｓ２で算出した移動平均値＞第１の閾値となるかの判定を行うと、プレイグニッションが発生する期間で第１の閾値を超す（Ｓ３）。
【００４６】
また、前記ＥＣＵ80は、移動平均値＞第１の閾値を満たした時点の１つ前に算出した移動平均を第２の閾値と設定する（Ｓ４）。さらに、前記ＥＣＵ80は、第１の閾値を満たした時点からのイオン電流値＞第２の閾値となるかの判定を行うと、プレイグニッションが発生する期間で第２の閾値を超す（Ｓ５）。
【００４７】
また、前記ＥＣＵ80は、Ｓ５のイオン電流値＞第２の閾値を連続８回満たすかの判定を行うと、プレイグニッションが発生する期間でイオン電流値＞第２の閾値を連続８回満たす（Ｓ６）。さらに、Ｓ６でイオン電流値＞第２の閾値を連続８回満たしているので、前記ＥＣＵ80は、前記内燃機関にプレイグニッションが発生していると判定する（Ｓ７）。
【００４８】
上記構成により、燃焼状態判定区間において検出されるイオン電流Ｉｉｏｎから２０マイクロｓｅｃ毎に抽出されるイオン電流値３点を用いて移動平均値を算出し、移動平均値＞第１の閾値となる１つ前に算出した移動平均値を第２の閾値として決定し、第１の閾値を満たした時点からのイオン電流値＞第２の閾値となると共に、イオン電流値＞第２の閾値を連続８回満たす場合、前記内燃機関にプレイグニッションが発生していると判定する。これにより、前記点火プラグ50に燻ぶりが発生し、中心電極と側方電極間に漏洩電流の有無に関係なく、前記内燃機関のプレイグニッションの判定を正確に行うことができると共に、イオン電流Ｉｉｏｎにノイズが重畳しても、所望の時間連続でイオン電流値＞第２の閾値を満たす必要があることからノイズをプレイグニッションとして誤判定することを防げる。
【００４９】
前記図６に示す燻ぶり有・プレイグニッション有の時の前記イグナイタ60から前記１次コイル10への通電時に生じるイオン電流Ｉｉｏｎからプレイグニッション判定を行う構成では、イオン電流Ｉｉｏｎから移動平均値を算出し第１の閾値を比較することで前記点火プラグ50の燻ぶりによる漏洩電流をプレイグニッションとして誤判定することを防げる。
【００５０】
また、第１の閾値を満たした時点からのイオン電流値＞第２の閾値となると共に、イオン電流値＞第２の閾値を連続８回満たす場合、前記内燃機関にプレイグニッションが発生していると判定することで図６（ａ）内に示す初期ノイズのような一時的に発生するノイズをプレイグニッションとして誤判定することを防げる。
【００５１】
前記図７に示す燻ぶり有・プレイグニッション無の時の前記イグナイタ60から前記１次コイル10への通電時に生じるイオン電流Ｉｉｏｎからプレイグニッション判定を行う構成では、イオン電流Ｉｉｏｎから移動平均値を算出し第１の閾値を比較することで前記点火プラグ50の燻ぶりによる漏洩電流をプレイグニッションとして誤判定することを防げる。
【００５２】
前記図８に示す燻ぶり無・プレイグニッション有の時の前記イグナイタ60から前記１次コイル10への通電時に生じるイオン電流Ｉｉｏｎからプレイグニッション判定を行う構成では、第１の閾値を満たした時点からのイオン電流値＞第２の閾値となると共に、イオン電流値＞第２の閾値を連続８回満たす場合、前記内燃機関にプレイグニッションが発生していると判定することで図８（ａ）内に示す初期ノイズのような一時的に発生するノイズをプレイグニッションとして誤判定することを防げる。
【００５３】
なお、上記実施例１の変形例として、前記イオン電流検出装置100は、前記内燃機関の燃焼行程から前記点火プラグ50に発生するイオン電流を検出できる構成であればその他は設計事情によって任意の回路構成に変更してもよい。また、燃焼状態判定区間は、前記内燃機関のクランクが下死点の位置から１８０度の範囲内で設定してもよいし、少なくとも前記１次コイル10への通電中から前記点火プラグ50の放電開始までの範囲内で設定してもよい。前記ＥＣＵ80は、燃焼状態判定区間において２０マイクロｓｅｃ毎に抽出されるイオン電流Ｉｉｏｎ３点から移動平均値を算出したが、移動平均値は任意の間隔で抽出すると共に複数点から算出してよい。しかし、なるべく多くの点から移動平均値を算出した方がノイズの影響を受けない精度の高い移動平均値を算出できるが、前記ＥＣＵ80の処理速度が遅くなるので精度と処理速度のバランスを考慮した算出方法を実施するのが望ましい。
【００５４】
また、前記第１の閾値は、前記コイル部からの出力等の前記内燃機関の構成によって設定されるものとしてよい。さらに、前記第２の閾値は、移動平均値＞第１の閾値を満たす１つ前に算出した移動平均値を設定したが、前記コイル部からの出力等の前記内燃機関の構成によって任意の数値に変更してよい。
【００５５】
また、２０マイクロｓｅｃ毎に抽出されるイオン電流値が連続８回でイオン電流値＞第２の閾値を満たすことでプレイグニッションの判定することで、合計で１６０マイクロｓｅｃ未満の時間の燃焼波形はノイズと判断する構成としたが、例えば、５０マイクロｓｅｃ毎に抽出されるイオン電流値が連続３回でイオン電流値＞第２の閾値を満たすとプレイグニッションと判定することで、合計で１５０マイクロｓｅｃ未満の時間の燃焼波形はノイズと判断する構成とすると、判定回数による抽出時間の合計が１５０マイクロｓｅｃ前後になるようにすれば、初期ノイズのような一時的に発生するノイズをプレイグニッションとして誤判定することを防げるため、抽出時間と連続判定回数を任意の設定に変更することができる。
【符号の説明】
【００５６】
10：１次コイル
20：２次コイル
30：鉄芯
40：電源
50：点火プラグ
52：中心電極
54：側方電極
60：イグナイタ（ＩＧＢＴ）
80：ＥＣＵ
90：イオン電流検出回路
92a：ツェナーダイオード
92b：第１のダイオード
92c：第２のダイオード
94：コンデンサ
96：オペアンプ
98a：第１の抵抗
98b：第２の抵抗（検出抵抗）
100：イオン電流検出装置
【図１】
2014118817.tif 000003
【図２】
2014118817.tif 000004
【図３】
2014118817.tif 000005
【図４】
2014118817.tif 000006
【図５】
2014118817.tif 000007
【図６】
2014118817.tif 000008
【図７】
2014118817.tif 000009
【図８】
2014118817.tif 000010
【図９】
2014118817.tif 000011